(57)【要約】【課題】外郭の温度上昇を抑えて、煎茶や紅茶などから香気成分を発生させるに十分な温度まで加熱出来る芳香器を提供することを課題とする。【解決手段】被加熱材料を入れる容器と、前記容器の下方に配置する加熱板と、前記加熱板を加熱するヒータと、前記加熱板を保持する保持部材とを備えた芳香器としたものとする。【選択図】　図１
2004057452.tif 000002
【特許請求の範囲】
【請求項１】
被加熱材料を入れる容器と、前記容器の下方に配置する加熱板と、前記加熱板を加熱するヒータと、前記加熱板を保持する保持部材とを備えた芳香器。
【請求項２】
形状の異なる第１の容器及び第２の容器を備え、前記第１の容器は底面が加熱板に略密着して載置され、前記第２の容器は底面と前記加熱板との間に間隔を保持して載置される請求項１記載の芳香器。
【請求項３】
第２の容器は、加熱板の周囲を覆う上カバーに載置される請求項２記載の芳香器。
【請求項４】
第２の容器は底部に加熱板と前記第２の容器の底面間に間隔を設ける脚を有した請求項２記載の芳香器。
【請求項５】
加熱板及び第１の容器の底部がともに金属材料からなる請求項２記載の芳香器。
【請求項６】
第２の容器は底部が陶器、磁器あるいはステアタイトからなる請求項２または３記載の芳香器。
【請求項７】
第２の容器は周部に取っ手部と、底部に上カバーと前記第２の容器底面間に間隔を設ける脚を有し、前記脚により前記上カバーに係止させた請求項３記載の芳香器。
【請求項８】
第２の容器は周部に取っ手部と、底部に上カバーと前記第２の容器の底面間に間隔を設ける脚を有し、前記取っ手部の方向に脚を設けた請求項３記載の芳香器。
【請求項９】
ヒータは、加熱板の周囲を覆う上カバーとヒータバネと前記ヒータバネの一端が当接されるヒータカバーにより前記加熱板方向に付勢され、前記加熱板と前記ヒータ間に第１の伝導板を設け、前記加熱板上に前記上カバーまたは前記ヒータカバーにより位置決めされる固定板を設け、前記第１の伝導板及び前記ヒータは前記固定板により位置決めされてなる芳香器。
【請求項１０】
加熱板と上カバー間にゴムを設け、前記ゴムが前記上カバーに覆われ、前記上カバーの加熱板側先端と加熱板との間に空間を設けた請求項９記載の芳香器。
【請求項１１】
ヒータは加熱板の周囲を覆う上カバーと、ヒータバネと前記ヒータバネの一端が当接されるヒータカバーにより加熱板方向に付勢され、前記ヒータカバーに前記加熱板を支える受け部を有した請求項１、９または１０記載の芳香器。
【請求項１２】
加熱板と前記加熱板の周囲を覆う上カバー間にゴムを設け、ヒータバネと前記ヒータバネの一端が当接されるヒータカバーの受け部と加熱板間に隙間を有し、前記隙間を前記ゴムの圧縮代以下とした請求項１１記載の芳香器。
【請求項１３】
ヒータバネとヒータ間に第２の伝導板を設け、前記第２の伝導板は固定板により位置決めされてなる請求項９記載の芳香器。
【請求項１４】
ヒータカバーは上カバーに回動することで保持される構成とした請求項９記載の芳香器。
【請求項１５】
着脱自在で複数の開口部を有し、容器を覆う外蓋ガードを設け、前記外蓋ガードの下端は加熱板表面より下方まで延びてなる請求項１または２記載の芳香器。
【発明の詳細な説明】
【０００１】
【発明の属する技術分野】
本発明は、熱源を備えた芳香器に関するものである。
【０００２】
【従来の技術】
従来、芳香器には熱源に電球やロウソクを用い、本体の外郭には陶器を用いたものが多く見られた。
【０００３】
【発明が解決しようとする課題】
しかし、この熱源に電球やロウソクを用いるタイプは、熱源により外郭内の雰囲気の温度を高め、被加熱材料を外郭内の雰囲気温度にて加熱する為、温度を上げると本体の外郭温度が上昇してしまうという問題があった。
【０００４】
又、煎茶や紅茶などから香気成分を発生させるには２００℃前後の高温が必要であり、一方、アロマオイルを加熱させるには、水の中にアロマオイルを滴下して使用する為、水が直ぐに蒸発しない７０℃程度以下が望ましいかった。
【０００５】
しかし、従来の芳香器には両方の用途で快適に使用できる芳香器は、見られなかった。これは、電球タイプでは、電流を調節して外郭内の雰囲気温度を大きく変えることが出来ない為であった。
【０００６】
又、電球タイプの中には、電球と加熱部との距離を変えることで加熱部の温度を変えられるものもあったが、温度差を設けるには限界があった。これらの問題を解決し、外郭の温度上昇を抑えて、煎茶や紅茶などから香気成分を発生させるに十分な温度まで加熱出来る芳香器を提供することを課題とする。
【０００７】
又、複数の温度帯で快適に使用できる芳香器を提供できる芳香器を提供することを課題とする。
【０００８】
【課題を解決するための手段】
本発明は、上記のような課題を解決するものであり、被加熱材料を入れる容器と、前記容器の下方に配置する加熱板と、前記加熱板を加熱するヒータと、前記加熱板を保持する保持部材とを備えた芳香器とするものである。
【０００９】
【発明の実施の形態】
請求項１に記載の発明は、被加熱材料を入れる容器と、容器の下方に配置する加熱板と、加熱板を加熱するヒータと、加熱板を保持する保持部材とを備えた芳香器とすることにより、被加熱材料をヒータで空気層を介さずに加熱出来る為、外郭の温度上昇を抑えて、煎茶や紅茶などから香気成分を発生させるに十分な温度まで加熱出来る芳香器を提供することが可能となる。
【００１０】
請求項２に記載の発明は、形状の異なる第１の容器及び第２の容器を備え、第１の容器は底面が加熱板に略密着して載置され、第２の容器は底面と前記加熱板との間に間隔を保持して載置されることにより、第１の容器使用時の第１の容器内面の温度に対して第２の容器使用時の第２の容器内面の温度を下げることが可能となる為に、複数の温度帯で快適に使用できる芳香器を提供することが可能となる。
【００１１】
請求項３に記載の発明は、第２の容器は加熱板の周囲を覆う上カバーに載置することにより、簡単な構成で第２の容器内面の温度を下げることが可能となる。
【００１２】
請求項４に記載の発明は、第２の容器は底部に加熱板と第２の容器の底面間に間隔を設ける脚を有したことにより、外郭の温度上昇を抑えて、かつ複数の温度帯で快適に使用できる芳香器を提供することが可能となる。
【００１３】
請求項５に記載の発明は、加熱板及び第１の容器の底部がともに金属材料としたことにより、煎茶や紅茶などから香気成分を発生させるに十分な温度まで加熱出来るようになる。
【００１４】
請求項６に記載の発明は、第２の容器の底部を陶器、磁器、ステアタイトとしたことにより、外郭の温度上昇を抑えて、かつ複数の温度帯で快適に使用できる芳香器を提供することが可能となる。
【００１５】
請求項７に記載の発明は、第２の容器は周部に取っ手部と、底部に上カバーと第２の容器の底面間に間隔を設ける脚を有し、脚により上カバーに係止させたことにより、第２の容器の温度を下げること及び芳香器本体が傾いたり動いたりした場合に第２の容器を上カバー上で保持することが可能となる。
【００１６】
請求項８に記載の発明は、第２の容器は周部に取っ手部と、底部に上カバーと第２の容器の底面間に間隔を設ける脚を有し、取っ手部の方向に脚を設けたことにより、加熱板で熱せられた空気が第２の容器の脚に遮られる為、取っ手部の温度上昇を防止できるようになる。
【００１７】
請求項９に記載の発明は、ヒータは、加熱板の周囲を覆う上カバーとヒータバネと前記ヒータバネの一端が当接されるヒータカバーにより前記加熱板方向に付勢され、前記加熱板と前記ヒータ間に第１の伝導板を設け、前記加熱板上に前記上カバーまたは前記ヒータカバーにより位置決めされる固定板を設け、前記第１の伝導板及び前記ヒータは前記固定板により位置決めしたことにより、構成が簡素化され、かつ伝導板Ａ及びヒータからの伝導熱を熱切することが出来るようになる。
【００１８】
請求項１０に記載の発明は、加熱板と上カバー間にゴムを設け、前記ゴムが前記上カバーに覆われ、前記上カバーの前記加熱板側先端と前記加熱板との間に空間を設けたことにより、加熱板３上の空間分だけ温度が下がったところで、シールできるようになり、かつ水やアロマオイルの本体内部への侵入を防止することが可能となる。
【００１９】
請求項１１に記載の発明は、ヒータは加熱板の周囲を覆う上カバーと、ヒータバネと前記ヒータバネの一端が当接されるヒータカバーにより前記加熱板方向に付勢され、前記ヒータカバーに前記加熱板を支える受け部を有したことにより、加熱板をヒータバネにより付勢している力以上で押されてもヒータカバーの受け部で力を受けることが可能となり、ヒータへ過度な力がかかることを防止できる。
【００２０】
請求項１２に記載の発明は、加熱板と前記加熱板の周囲を覆う上カバー間にゴムを設け、ヒータカバーの受け部と前記加熱板間に隙間を有し、前記隙間を前記ゴムの圧縮代以下としたことにより、加熱板を押されても上カバーと加熱板間は、ゴムによりシールされる。
【００２１】
請求項１３記載の発明は、ヒータバネとヒータ間に第２の伝導板を設け、第２の伝導板が固定板により位置決めされる構成とすることにより、固定板の温度上昇を抑えかつ組み立て性の向上が図れるようになる。
【００２２】
請求項１４に記載の発明は、ヒータカバーは上カバーに回動することで保持される構成としたことにより、ヒータバネが外れることが無くなり、組み立てが容易になる。
【００２３】
請求項１５に記載の発明は、着脱自在で複数の開口部を有し、容器を覆う外蓋ガードを設け、外蓋ガードの下端は加熱板表面より下方まで延ばしたことにより、容器が転がって容器載置部が直接床面やテーブル上に接触することが防止出来る。
【００２４】
【実施例】
以下、実施例の本発明の芳香器を説明する。
【００２５】
（実施例１）
以下、本発明の実施例１について説明する。
【００２６】
図１は本発明の実施例１における芳香器の主要断面図である。
【００２７】
図２は本発明の実施例１のヒータ周辺の断面図である。
【００２８】
図３は本発明の実施例１におけるゴム周辺の断面図である。
【００２９】
図４は本発明の実施例１における上カバーを下から見た図である。
【００３０】
１は、自己温度制御機能を持ったＰＴＣヒータで、キュリー温度として２６０℃の素子を用いたものである。ヒータ１上にはアルミニウム製の第１の伝導板である伝導板Ａ２が設置され、さらに伝導板Ａ２の上にはステンレス製の加熱板３が設置されている。ヒータ１と伝導板Ａ２間及び伝導板Ａ２と加熱板間の両方の間にはコパウンドを塗布（コンパウンドは図示せず）し、熱伝導を良くしている。
【００３１】
４は被加熱材料である煎茶を２ｇ入れた容器であり、加熱板３に載置されている。容器４は四角形状のステンレス製収容部と収容部の周囲に樹脂製の取っ手部５を有している。取っ手部５は、ステンレス勢収容部の四隅でのみ接合し、熱切りされている。６は、加熱板３を上から覆う上カバー６である。７は、加熱板３と上カバー６の間に設けたシリコン製ゴムであり、加熱板上に落ちた液体の芳香器の内部への侵入を防止している。シリコン製ゴム７は、上カバー６の加熱板３側先端と加熱板３との間に空間８を設けた状態で、上カバー６と加熱板３間に保持されている。９は、ヒータ１を加熱板３方向に付勢しているコイル状のヒータバネである。１０は、ヒータバネ９の一端が当接されているヒータカバーであり、回動することで、上カバー６に保持されている。上カバー６とヒータカバー１０には、ヒータ１を覆う為、耐熱性の高いＰＰＳ樹脂が用いられている。そして、ＰＰＳ樹脂の色は高温による変色を防止する為、濃い色が望ましく、本実施例１では黒が用いられている。
【００３２】
また、上カバー６は蓋カバー１１に繋がり、本体上部を蓋カバー１１と共に形成している。
【００３３】
本体外郭は、本体側面を形成するボデー１２と本体上部を覆う外蓋ガード１３及び底部１４からなる。外蓋ガード１３は着脱可能で、複数の開口部を有し、かつ加熱板３表面より下側までガードを設けたことが特徴であり、ＰＥＴ／ＰＢＴ樹脂からなる。ヒータカバー１０には、加熱板３を支える受け部１０ａを設け、さらにヒータカバー１０の受け部１０ａと加熱板３間に隙間１５を設け、その隙間１５はシリコン製ゴム７の圧縮代以下に設定されている。１６は、上カバー６に設けられた突起６ａにより位置決めされた固定板である。
【００３４】
ヒータ１及び伝導板Ａ２は、加熱板３とヒータバネ９により上下方向に固定され、固定板１６により水平方向の位置が決められている。固定板１６は、ステンレス製で、中央にヒータ１及び伝導板Ａ２が入る開口部を有する円板形状であり、開口部より下方に延びる４本の細長い平板状リブ１６ａと４つの小さな平板リブ１６ｂとを有し、下方に延びた平板状リブ１６ａ及び１６ｂにて伝導板Ａ２を位置決めし、さらに下方に平板状リブ１６ａ及び１６ｂとにてヒータ１を位置決めしている。１７は、ヒータバネ９とヒータ１間に設けた伝導板Ｂであり、ヒータ１の下面の均熱性を保っている。
【００３５】
また、伝導板Ｂ１７は固定板１６の平板状リブ１６ａにより位置決めされている。また、ヒータカバー１０に４つの脚（図示せず）が設られ、上カバー６にヒータカバー１０の４つの脚が挿入される溝１８と挿入後に回転させて保持する４つの勘合部１９が設けられている。
【００３６】
さらにヒータカバー１０の中央にヒータバネー９を挿入する凸部が設けている。また、ヒータ１には、電極２０が取り付けられており、芳香器本体に設けられた電源スイッチをＯＮすることで電流がヒータ１に流れる。このような構成の実施例１の芳香器の動作を説明する。
【００３７】
煎茶２ｇを入れた容器４を加熱板３に載置し、電源スイッチを入れることで、ヒータ１が加熱され、ヒータ１の熱が熱伝導率の良い伝導板Ａ２を介して金属製である加熱板３及び容器４の収容部に効率良く伝わり、煎茶からの香気成分が発生させる。
【００３８】
このように準備した実施例１の芳香器は、ヒータ１として自己温度制御機能を持ったＰＴＣヒータを使用することで、キュリー温度である２６０℃に達するまで加熱される。そして、加熱板３は、煎茶や紅茶などから香気成分を発生させるに十分な温度まで加熱されるが、本体外郭の温度は、ヒータ１から伝導板Ａを経て集中的に加熱板３に熱が伝わる為、抑えられる。
【００３９】
さらに本実施例のようにヒータ１を上カバー６とヒータカバー１０により覆うことで本体外郭の温度上昇はさらに抑えられる。尚、本実施例１ではヒータ１にはＰＴＣヒータを使用したが、本実施例１のような構成であればどのようなヒータでも煎茶や紅茶などから香気成分を発生させるに十分な温度まで加熱出来、本体外郭の温度上昇を抑えられる。尚、本実施例１では、加熱板３及び容器４とにはステンレスを使用したが、熱伝導性の高いアルミニウムなどの金属でもよい。
【００４０】
しかし、アルミニウムでは熱伝導は良いが放熱が大きすぎ、加熱板３及び容器４に使用すると温度が低くなることがある。
【００４１】
本実施例１では、加熱板３及び容器４にステンレスを使用することで、より効率的に茶葉に熱が伝えられる。
【００４２】
また、ヒータ１から上方方向には、熱伝導のよいアルミニウムからなる伝導板Ａ２をヒータ１と加熱板３間に使用しているので、集中的にヒータ１からの熱が加熱板３に伝えられる。逆に、ヒータ１から水平方向には、固定板１６の平板状リブ１６ａ及び１６ｂの限られた接触で伝えられる。この結果、固定板１６の温度は抑えられ、ステンレス製の加熱板３の固定板１６上に当たる温度、加熱板３の外周近くで接触しているシリコン製ゴム７及び固定板１６を位置決めしている上カバー６の温度も抑えられる。
【００４３】
尚、本実施例１の固定板１６の形状及び素材は、熱切りすることができればよいのであって、どのような形状でどのような素材でもよく、限定されるものではないが、耐熱性が必要で、複数の部品を固定する複雑な形状となる為、本実施例１のようにステンレスが望ましい。また、本実施例では上カバー６に固定板１６を位置決めしているが、同様にリブを設けてヒータカバー１０により位置決めすることも可能である。
【００４４】
次にシリコン製ゴム７を加熱板３側先端と加熱板３との間に隙間を設けた状態で取り付けたことで、加熱板３上の空間８分だけ温度が下がったところで、シールできる。また、ヒータ１の熱は、ヒータバネ９を伝わりヒータカバー１０に伝わるが、ヒータバネ９にコイル状バネを使用しているので、ヒータカバー１０への熱伝導が抑えられる。
【００４５】
尚、ヒータ１を付勢する目的のみであれば板バネなど他のバネを使っても同じ効果を得ることは可能である。また、加熱板３をヒータバネ９により付勢している力以上で押されてもヒータカバー１０には受け部１０ａを設けているので、受け部１０ａで力を受けてヒータ１に過度な力がかかることを防止出来る。
【００４６】
さらにヒータカバー１０の受け部１０ａと加熱板３間に隙間１５を設け、その隙間１５をシリコン製ゴム７の圧縮代以下としたことで、力で加熱板３が下がってもシリコン製ゴム７が延びる範囲で加熱板３と上カバー６間のシールを確保出来る。
【００４７】
本実施例１ではヒータ１の均熱性を確保して冷却時の割れを防ぐ為、第２の伝導板である伝導板Ｂ１２を使用したが、固定板１６の平板状リブ１６ａでヒータ１及び伝導板Ａ２と同様にかつ同時に位置決めしたことで、固定板１６の温度上昇を抑えかつ組み立て性の向上が図れる。尚、本実施例１ではより安全に長期間使用出来るように加熱板３を使用したが、加熱板３がなくてもヒータ１の性能は確保される。
【００４８】
次に、本実施例１では、ヒータバネ９をヒータカバー１０の中央凸状リブにヒータバネ９を挿入したことで、固定し組み立性が向上される。さらに、ヒータカバー１０と上カバー６に挿入及び回動し保持したことで、ヒータバネ９でヒータ１及び加熱板３を付勢しながら、ヒータバネ９が外れることなく容易に勘合出来るようになり、組み立性が向上される。
【００４９】
尚、本実施例１では、ネジを使用せずに上カバー６とヒータカバー１０を勘合させているが、勘合後にさらにネジにて締め付けてもよいし、挿入及び回動せずにネジのみで締め付けても組み立てることは可能である。
【００５０】
尚、外蓋ガート１３を設けたことで、少なくとも加熱板１及び容器４に触れて火傷をすることが防止出来る。さらに、本実施例１では、外蓋ガード１３を着脱自在で、かつ加熱板３表面より下側までガードを設けたことで、芳香器本体が転倒時に容器４は外蓋ガード１３に収納され、容器４が転がって容器４載置部が直接床面やテーブル上に接触することが防止出来る。
【００５１】
尚、本実施例１では外蓋ガード１３は蓋カバー１１まで覆っているが、加熱板３表面より下側までガードを設ければ蓋カバーを覆わなくてもよい。また、外蓋ガード１３なしでも火傷及び転倒時の容器４の接触以外は本実施例１の効果が得られる。
【００５２】
（実施例２）
以下、図５は本発明の実施例２における芳香器の主要断面図である。
【００５３】
２１は被加熱材料である水８ｇ及び精油２滴を入れた陶器製の容器であり、周部に取っ手部２２を有している。２３は、加熱板である。２４は、加熱板２３を上から覆う上カバー２４であり、加熱板２３及び容器２１からの熱に対する耐熱性を確保する為、ＰＰＳ樹脂が用いられている。容器２１は、加熱板２３の周囲を覆う上カバー２４に載置されている。以下の構成及び動作はほぼ実施例１と同様であり、容器２１の材質と加熱板２３上の雰囲気及び上カバー２４からの伝導熱により加熱されることが異なる。このように準備した芳香器は、実施例１と逆に、陶器が熱伝導性が低いことと、加熱板２３より熱伝導性の低い空気や樹脂及びゴムを通り伝えられ為、容器２１の温度は加熱板の温度に対して極端に下がる。従って、アロマオイルによる芳香を楽しむ用途で、最適な温度を取ることが出来る。
【００５４】
尚、実施例２では容器２１を上カバー２４に載置したが、上カバー２４出なくても容器２１と加熱板２３との間に間隔を保持して載置出来ればどこに載置してもよいが、耐熱性樹脂を用いた上カバー２４で載置するのが最もよい。さらに、本実施例１に容器４とは形状の異なる別容器２１を設けることで、複数の温度帯で快適に使用できる芳香器を提供出来るようになる。尚、本実施例２では、容器２１の材質を陶器としたが、熱伝導率が低い材料であれば良く、磁器やステアタイトなどでもよい。
【００５５】
（実施例３）
以下、図６は本発明の実施例３における芳香器の主要断面図である。３１は被加熱材料である水８ｇ及び精油２滴を入れた容器である。３２は加熱板である。３３は上カバーである。３４は容器３１底部に加熱板３２と容器３１底面間に間隔を設ける脚３４を図６に示したように有している。
【００５６】
以下の構成及び動作は実施例２と同様であり、容器３１が脚３４を有していることが異なる。このように準備した芳香器は、加熱板３２上の雰囲気の温度を脚３４の長さを延ばすことで調節でき、またに上カバー３３からの伝導熱を防ぐことが可能となる。さらに、図６のように脚３４を容器３１が横に動いた時に上カバー３３にかかるように設けたことで、芳香器本体が傾いたり、動いた場合に容器３１は上カバー３３で保持される。
【００５７】
（実施例４）
以下、図７は本発明の実施例４における芳香器の主要断面図である。図８は、本実施例４における容器を下から見た図である。４１は被加熱材料である水８ｇ及び精油２滴を入れた容器である。４２は加熱板である。４３は上カバーである。４１は周部に取っ手部４４と、底部に上カバー４３と容器４１底面間に間隔を設ける脚４５を有し、脚４５により上カバー４３に係止させている。
【００５８】
以下の構成及び動作は実施例２と同様である。このように準備した芳香器は、実施例３の芳香器同様に加熱板４２上の雰囲気の温度を脚４５の長さを延ばすことで調節でき、また、上カバー４３に係止している為、加熱板４２に傷が付くことを防ぐことが出来る。
【００５９】
さらに容器４１は芳香器本体が傾いたり、動いた場合に上カバー４３上で保持される。尚、図８に示したように脚４５を取っ手部４４の方向に設けたことで、加熱板４２上の雰囲気は脚４５に遮られる為、取っ手部４４の温度上昇を防止できるようになる。
【００６０】
【発明の効果】
以上のように本発明によれば、外郭の温度上昇を抑えて、煎茶や紅茶などから香気成分を発生させるに十分な温度まで加熱出来る芳香器を提供することが可能となる。
【図面の簡単な説明】
【図１】本発明の実施例１における芳香器の主要断面図
【図２】本発明の実施例１におけるヒータ周辺の断面図
【図３】本発明の実施例１におけるゴム周辺の断面図
【図４】本発明の実施例１における上カバーを下から見た図
【図５】本発明の実施例２における芳香器の主要断面図
【図６】本発明の実施例３における芳香器の主要断面図
【図７】本発明の実施例４における芳香器の主要断面図
【図８】本発明の実施例４における容器を下から見た図
【符号の説明】
１　ヒータ
２　伝導板Ａ（第１の伝導板）
３、２３、３２、４２　加熱板
４、２１、３１、４１　容器
５、２２、４４　取っ手部
６、２４、３３、４３　上カバー
７　ゴム
８　空間
９　ヒータバネ
１３　外蓋ガード
１５　隙間
１６　固定板
１７　伝導板Ｂ（第２の伝導板）
３４、４５　脚
【図１】
2004057452.tif 000003
【図２】
2004057452.tif 000004
【図３】
2004057452.tif 000005
【図４】
2004057452.tif 000006
【図５】
2004057452.tif 000007
【図６】
2004057452.tif 000008
【図７】
2004057452.tif 000009
【図８】
2004057452.tif 000010